(57)【要約】【課題】本発明の課題は、工具本体に対するフックの保持を複数位置で容易に可変できる操作性に優れた電動工具を提供することである。【解決手段】本体胴体部と、本体胴体部に連結されたハンドル部と、該連結部と反対側の前記ハンドル部の端部に装着されたバッテリーと、バッテリーに近接したハンドルに設けられたフック部とを備えた携帯用工具において、フック部は、ハンドル部から延在する部材に貫通穴部を設けた保持部と、基端部が前記貫通穴に挿入されたＬ字状の引っ掛け片と、基端部が貫通穴より抜けないように基端部に装着された抜け止め部材とよりなり、基端部に設けたギア部と、貫通穴に設けたリングギア部を係合してＬ字状の引っ掛け片を所定の角度範囲内で固定できるようにすると共に、ギア部とリングギア部を貫通穴の中間に設けることにより、引っ掛け片を貫通穴のいずれの側からも挿入できるようにした。【選択図】図３
2005297192.tif 000002
【特許請求の範囲】
【請求項１】
本体胴体部と、該本体胴体部に連結されたハンドル部と、該連結部と反対側の前記ハンドル部の端部に装着されたバッテリーと、該バッテリーに近接した前記ハンドルに設けられたフック部とを備えた携帯用工具において、
前記フック部は、前記ハンドル部から延在する部材に貫通穴部を設けた保持部と、
基端部が前記貫通穴に挿入されたＬ字状の引っ掛け片と、
前記基端部が貫通穴より抜けないように該基端部に装着された抜け止め部材とよりなり、
前記基端部に設けたギア部と、前記貫通穴に設けたリングギア部を係合して前記Ｌ字状の引っ掛け片を所定の角度範囲内で固定できるようにすると共に、
前記ギア部とリングギア部を前記貫通穴の中間に設けることにより、前記引っ掛け片を前記貫通穴のいずれの側からも挿入できるようにしたことを特徴とする携帯用工具。
【請求項２】
本体胴体部と、該本体胴体部から垂下するハンドル部と、該ハンドル部に設けられたフック部と、バッテリーとよりなり、
前記本体胴体部には前方に先端工具保持部を収納し、後方に先端工具に伝達する回転動力を発生するモータを収納し、前記本体胴体部と反対側の前記ハンドル部には前記モータを駆動するためのバッテリーを収納可能に構成した携帯用工具において、
前記フック部は、穴部を有し且つ前記バッテリーを収納した側のハンドル部から延在する保持部と、引っ掛け片と、該引っ掛け片の一端に連設される基端部とよりなり、
前記基端部は円筒状部と、該円筒状部に形成した第１の凹凸部を有し、
前記保持部は前記穴部に前記第１の凹凸部と係合する第２の凹凸部を有し、
該基端部の該引っ掛け片側の一端には段差を設け、他端には抜け止め部を装着し、該第２の凹凸部の両側に端面を設け、該端面と該段差とが当接することによって離脱防止部が形成されることを特徴とする携帯用工具。
【発明の詳細な説明】
【技術分野】
【０００１】
本発明は、作業者の腰ベルト等に掛止可能なフック部を有する携帯用工具に関するものである。
【背景技術】
【０００２】
従来の電動工具には、作業者の腰ベルト等に電動工具を掛止させるためのフック部が設けられている。このフック部が、例えば電動工具本体から突出した状態で固定配置されていると、フック部が作業中に周辺の部材等に接触してしまう。特に狭い場所で作業を行う場合にはフック部が邪魔になってしまい作業性が低下してしまう不具合があった。また、作業の邪魔になるので必要に応じてフック部を着脱可能な構成にしてしまうとフック部の紛失を引き起こす不具合があった。そこで、フック部を要しない場合には、電動工具内にフック部を収納したり、或いは作業の邪魔にならない位置までフック部を可動可能に設けていた。
【０００３】
上述したフック部の一例を図１７を用いて説明する。ネジが切られた棒状の鉄を折り曲げて形成された引っ掛け片２の全周に軟質材３が被覆されたフック４と、フック４を保持する保持ナット５と、フック４を抜け止めするハウジング１内に設けられた図示しない抜け止めナットで構成されている。このフック部の引っ掛け片２は、バッテリー１８にほぼ隣接する収納位置から二点破線で示すように、引っ掛け片２ｂとハンドル９との間に形成されている隙間まで回動可能で、且つこの位置にて掛止可能に突出する。また、フックの先端が重心方向に向いた状態でベルト等に引っ掛けることで安定性が得られることから、連ネジアタッチメント７が電動工具本体から取り外され電動工具の重心位置が変化しても引っ掛け片２ｂを回動させることで、安定した位置に調整することができる。また、フックの引っ掛け片は、最も側方に張り出している場合が多いため、軟質材３の被覆されたフック４により電動工具を傾斜している屋根等の傾斜面に置いてもこの軟質材３により滑り止め作用が働くと共に、軟質材３により化粧板等の部材上に電動工具を置いた際に部材に傷を付けないように保護作用も働く。
【０００４】
また、特開２０００−１６７７８５号公報に開示されているように、フック部を突出固定した状態からフック全体を電動工具本体に設けた凹部内にスライド可能に収納するものもある。
【０００５】
また、上述した収納式ではないが、フック部を簡単に可動させる一例として、特開平６−２８５７７４号公報に開示されているように、電動工具の略円筒状のモーターハウジングの外周回りに回動可能で、且つフック部を係止することにより複数箇所で位置決め可能なフックもある。
【０００６】
また、特開平９−２２５８６１号公報に開示されているように、凸部若しくは凹部を設けたモーターハウジング左側面に嵌合可能な凸部若しくは凹部を設けた回動式のフック部が設けられ、且つこのフック部にワンタッチで着脱可能なものもある。
【０００７】
一方、ビット等の先端工具は、ネジ締め作業で先端を破損させ易いため、ビット交換を行う必要があるが、脚立上や足場上の高所作業でいちいち地上に置いてあるビットに交換するのは煩わしい。また、ポケット内に交換用ビットを入れておくとポケット内からネジ等を取り出す際などに落としてしまい紛失してしまう可能性が高い。このため、特開平９−２１６１７１号公報に開示されているように、ハウジングに交換用ビットを収納可能な電動工具が提供されている。このビット収納部は、ハンドルの下部に設けたバッテリー受け部の両側面にビットが衣服等に引っ掛かって落下しないように、ビットの四方全周にリブが突設されており、ビットが略完全に埋没するビット収納部が形成されている。加えてこのビット収納部内には、ビットを一ヶ所で圧着保持する係止金具が設けられており、ビットを取り出す際は係止金具を湾曲させてビット軸半径方向に引き抜けるように構成されている。
【０００８】
【特許文献１】特開２０００−１６７７８５号公報
【特許文献２】特開平６−２８５７７４号公報
【特許文献３】特開平９−２２５８６１号公報
【発明の開示】
【発明が解決しようとする課題】
【０００９】
図１７に示すフック部は、引っ掛け片の収納と引出し及び位置調節といった回動の際、いちいちスパナ等の工具による保持ナットの回転操作が必要となり面倒であるという問題があった。
【００１０】
また、特開２０００−１６７７８５号公報に開示されているフック部は、安定性があり且つ簡単にフックの引き出しと収納が行える構成であるものの、モータ上部の本体内部にフックが収納できる収納部とフックがスライドできるガイド部とフックを支持する支持部とを埋設しなければならないため、電動工具が大型化してしまうという問題があった。
【００１１】
また、特開平６−２８５７７４号公報に開示されているフック部は、フックが電動工具の略円筒状のモーターハウジングの軸中心に回動し、モーターハウジング外周と常に一定の隙間を持ち突出している。しかしながら、フックに設けられた歯車を弾性係止するリーフスプリングを用いているため、回動方向に力を加えるとフックが簡単に回転してしまい安定性が悪いという問題があった。また、手動するロックノブでフックを固定した場合には、片手でロックを解除した状態のままもう一方の手でフックを回動させる必要があるため、操作が悪いという問題があった。
【００１２】
また、特開平９−２２５８６１号公報に開示されているフック部は、幅の小さい物をフックとモーターハウジングの隙間で引っ掛け、幅の大きい物をフックとハンドルの隙間で引っ掛けることができるように、フックの取付け位置を変更するというものである。しかし、素材同士の弾性係止によって回動を保持しているので、回動方向に力を加えるとフックが簡単に回動してしまい安定性が悪いという問題があった。しかも、フックをワンタッチで着脱できる保持部がモーターハウジング左側面に設けられているが、右利き左利きのどちらの作業者にも使い勝手を良くするには、モーターハウジング右側面にも保持部を設ける必要があり、この場合、フックを装着していない側の保持部は作業の邪魔になってしまうという問題があった。
【００１３】
一方、特開平９−２１６１７１号公報に開示されているように、モータ及びギヤを内包するモーターハウジング、ハンドル、バッテリー、バッテリー受け部、ビット収納部から構成されている。ビット収納部が設けられるべき位置を考察するに、モーターハウジングは、内部にビットを埋設するスペースがなく、且つモーターハウジングは狭い場所に滑り込ませてネジ締め作業を行うため突設させることは不適切であり、ハンドルに設けると把握し辛くなり、バッテリーに設けるとバッテリーの汎用性が低くなり、バッテリー受け部に埋設するスペースはない。このためビット収納部は、バッテリー受け部に突設される構成が望ましい。しかし、このような電動工具に、例えば図１７に示すフックを設けた場合、ビット収納部にフックの引き出し片（図１７）がぶつかり邪魔になると共に、引き出し片（図１７）をビット収納部側方に設けた場合であっても、携帯用工具がコンパクトでなくスペース効率が悪いという問題があった。更に特開平９−２１６１７１号公報に開示されている係止金具を使用するとコストと組付け手間がかかるため、係止部はハウジングと一体に樹脂成形されたものが望ましいが、係止金具を単純に樹脂化しようとすると、樹脂は鉄より強度が弱いためビットを保持できるように肉厚を厚くする必要があり、また湾曲しビットを着脱できるように肉圧を薄くする必要もあり矛盾が生じるという問題があった。加えて、図１７に示すフックに軟質材を設けた携帯用工具の一例は、引っ掛け片の全周にキャップ状の軟質材を被せてあるが、例えば引っ掛け片に特開平９−２１６１７１号公報に開示されているビット収納部を設けた場合、ビットが軟質材でカバーされ着脱不能になるか、軟質材の一部を切り欠いた場合であっても組付け作業若しくは磨耗によって切り欠いた場所から亀裂が入るという問題があった。
【００１４】
本発明の目的は、上記問題点を解消し、工具本体に対するフックの位置を容易に可変できる操作性に優れた電動工具を提供することである。即ち、フックの保持部への取付けが周方向の複数の位置ででき、しかも周方向に確実に保持されるフックを有する電動工具を提供することである。
【課題を解決するための手段】
【００１５】
本発明は、本体胴体部と、該本体胴体部に連結されたハンドル部と、該連結部と反対側の前記ハンドル部の端部に装着されたバッテリーと、該バッテリーに近接した前記ハンドルに設けられたフック部とを備えた携帯用工具において、前記フック部は、前記ハンドル部から延在する部材に貫通穴部を設けた保持部と、基端部が前記貫通穴に挿入されたＬ字状の引っ掛け片と、前記基端部が貫通穴より抜けないように該基端部に装着された抜け止め部材とよりなり、前記基端部に設けたギア部と、前記貫通穴に設けたリングギア部を係合して前記Ｌ字状の引っ掛け片を所定の角度範囲内で固定できるようにすると共に、前記ギア部とリングギア部を前記貫通穴の中間に設けることにより、前記引っ掛け片を前記貫通穴のいずれの側からも挿入できるようにしたことに一つの特徴を有する。
【発明の効果】
【００１６】
本発明によれば、工具本体に対するフックの位置を容易に可変できる操作性に優れた電動工具を提供することができる。また、フックに設けた収容保持部にビット等の先端工具を保持させることで、作業性の向上及び有効なスペース活用が図れる電動工具を提供することができる。更に収容保持部内のビット等は、確実に保持されると共に、取り外し容易に配される使い勝手に優れたフック及びその着脱方法を提供することができる。
【発明を実施するための最良の形態】
【００１７】
本実施例におけるインパクトドライバー等の電動工具を図１〜図１６を用いて説明する。図１及び図２は本実施例における電動工具のフック部を示す要部拡大分解斜視図、図３は本実施例におけるフック部の可動状態を示しており、（Ａ）は正面図、（Ｂ）は側面図（Ｃ）は底面図、図４は図３（Ａ）のＡ−Ａ線断面図、図５は本実施例におけるフック部をスプリング２７を圧縮する方向に移動させた状態を示す図３（Ａ）のＡ−Ａ線断面図、図６は本実施例におけるフック部を反対側に装着した状態を示す外観斜視図、図７は本実施例におけるフック部の収納状態或いは突出状態を示す図４のＢ−Ｂ線断面図、図８は本実施例におけるフック部の回動部を示しており、（ａ）は図４のｃ−ｃ線断面図、（ｂ）はギヤ及びリングギヤを示す部分拡大図、図９は本実施例におけるフック部を用いて電動工具を作業者の腰ベルトに引っ掛けた状態を示す要部拡大図、図１０はフック部を用いて電動工具を作業者の腰ベルトに引っ掛けた状態を示しており、（ａ）は電動工具を作業者の腰ベルトに引っ掛けた状態を示す説明図、（ｂ）は（ａ）に示す電動工具からビットを取り外してチャックと木工錐を装着した状態を示す説明図、（ｃ）は（ａ）に示す電動工具に軽量のバッテリーを装着した状態を示す説明図、図１１は本実施例におけるフック部を設けた電気丸のこを示しており、（ａ）は一部縦断側面図、（ｂ）は電気丸のこを梁に引っ掛けた状態を示す状態図、図１２は本実施例におけるフック部を設けた電気ドリルを示しており、（ａ）は一部縦断正面図、（ｂ）は一部省略平面図、（ｃ）は（ｂ）のｄ−ｄ線断面図、図１３は本実施例におけるフック部の他の例を示す要部拡大断面図、図１４は本実施例におけるフック部の更に他の例を示す要部拡大断面図、図１５は本実施例におけるフック部に設けたビット収納部を示す図３（ａ）のＡ−Ａ線断面図、図１６はビットを収納するフック部を示す一部外観斜視図である。
【００１８】
図３に示すように、二つ割ハウジング１（以下ハウジングと称す）及びハンマケース８などの外枠を有するインパクトドライバーは、略Ｔ字形状を成しており、ハウジング１によって形成される本体胴体部には電気式或いは空気式の駆動源であるモータ１５や減速機構部を構成する遊星ギヤ部１８などを収容し、且つ本体胴体部から垂下するハンドル部にはモータ１５に電力を供給するためのトリガスイッチや蓄電池の接続端子と電気的に接続される接点などが収容されている。また、ハウジング１に当接して配置されるハンマケース８内にはモータ１５の回転動力を打撃力に変換するための打撃機構部及びビットやレンチ等の先端工具保持部などが収容されている。
【００１９】
このような構成において、モータ１５の回転動力は、モータ１５の出力軸であるピニオンから減速機構部に伝達され、減速機構部から打撃機構部を介して先端工具１７に回転力および打撃力が伝達されている。
【００２０】
上記打撃機構部は、スピンドル１６と、スピンドル１６に形成したカム溝に挿入されるスチールボール（鋼球）を介して回転可能且つ回転軸軸方向に移動可能なハンマ２３と、ハンマ２３に設けた複数のハンマ爪により打撃され回転するアンビル爪を有するアンビル２２と、ハンマ２３をアンビル２２側に常に付勢するスプリングとから構成されている。
【００２１】
上記減速機構部である遊星ギヤ部１８は、ハウジング１内に回転止めを有し支持されている固定歯車支持治具、固定歯車、遊星歯車、スピンドル１６を有し、且つスピンドル１６に支持される遊星歯車の回転軸となるニードルピンから構成されている。
【００２２】
先端工具１７により締め付けられるネジやナット等に与えるパルス的な衝撃（インパクト）は、トリガスイッチの操作によりモータ１５に電力を供給し、モータ１５を回転駆動させ、このモータ１５の回転動力をモータ１５の先端に連結されているピニオンを介して遊星ギヤ部１８（遊星歯車遊星歯車、固定歯車）を経てスピンドル１６に伝達し、スピンドル１６のカム溝とハンマ２３のカム溝間に配置されたスチールボールを介して、スピンドル１６の回転力をハンマ２３に伝達し、ハンマ２３とスピンドル１６の遊星歯車との間に配されているスプリングによって前方（先端工具側）に付勢されているハンマ２３のハンマ爪とアンビル２２のアンビル爪とが係合することによりアンビル２２が回転するため、先端工具１７に回転力が与えられる。先端工具１７によるネジ等の締め付けトルクが所定値以上になると、ハンマ爪がアンビル爪を乗り越えるため両爪による係合が一時的に解除される、即ち締め付けトルクが所定値以上になるとハンマ２３がスプリングに抗してモータ１５側に移動（後退）する。その後、スプリングの圧縮力によってハンマ２３がアンビル２２方向に押し戻されアンビル爪にハンマ爪が衝突することで打撃力が発生する。このようにハンマ２３の回転及び軸方向移動を繰り返すことで、連続的な衝撃トルクが先端工具１７に与えている。
【００２３】
また、上記遊星ギヤ部１８を有する電動工具のハウジング１の表面には、二層成形によりエラストマーが施されている。このエラストマーを設ける目的は、電動工具を確実に把持するための滑り止め、或いは握り心地を良くし操作性及び作業性を向上させるためのもので、更には地面に落とした時の衝撃を吸収し電動工具が破損してしまうことを防いだり、傾斜面に電動工具を置いた時に傾斜に沿って電動工具が滑り落ちないようにするためものである。そのため、エラストマー１５は、主に二つ割ハウジング１のハンドル握り部、本体胴体部周辺に設けられている。
【００２４】
更に上記インパクトドライバーには、作業者の腰ベルト等にインパクトドライバー本体を掛止させるため、以下に詳述する回動可能なフック部４が設けられている。フック部４の引っ掛け片２は、バッテリー１８を収納可能なハンドル部からバッテリー１８の側面に隣接する位置まで延在する円筒状の保持部２０に設けられており、保持部２０はフック４の基端部２８が装着される左右方向（（Ａ）の奥側と手前側）に軸長を有している。また、保持部２０は、ハンドル９後端からボルト４４の支柱２９が挿通されており、樹脂製の引っ掛け片２には、ビット１１を収納する収容部が設けられている。
【００２５】
図１及び図２において、フック４は、Ｌ字状の引っ掛け片２と、引っ掛け片２の後端に連設される略円筒状の基端部２８と、この基端部２８に装着される抜け止め部２９とから構成されている。基端部２８は、枢軸３０上にそれぞれ連設された、引っ掛け片２から突設し先端にギヤ部３１を有する円筒状の回転筒３２と、回転筒３２からギヤ部３１の内径と略同径に突設された横筒３３と、横筒３３より細径に突設されたボルト受け筒３４とから形成されると共に、基端部２８内部には図示しない係止め突起の突設された半六面壁のナット収納部３５及び枢軸３０上にボルト受け筒３４の端面からナット収納部３５まで貫通するボルト穴３６が埋設されている。加えてギヤ部３１は、枢軸３０方向に面を持ち基端部２８から枢軸３０の半径方向外側に突出した複数の歯から形成される。３８は引っ掛け片２と回転筒３２の段差、３９は回転筒３２から突設しており、引っ掛け片２を反ハンドル側に引っ張りギヤ部３１とリングギヤ部４７との噛み合いを解除することで回動可能となる引っ掛け片２の回動範囲を所定の角度内に規制する回転抑止板、４０〜４０はギヤ先端に夫々設けられたＣ面、５４，５４は滑り止めである。更に、抜け止め部２９は、コイン溝４２が埋設されたボルト頭４３を備えるボルト４４と、緩み止め機構を有するナット４５から構成される。
【００２６】
一方、ハウジング１に設けられた保持部２０は、ハウジング１ａ、１ｂの分割面を中心に対称形状である。保持部２０は円筒状であって、合わせて回転支持部を形成しているフック４の回転筒３２と当接する回転支持穴４６と、フック４のギヤ部３１が嵌入可能なリングギヤ部４７と、このリングギヤ部４７と対称形状であって端面が弾性スプリング２７に当接されるスプリング受４８と、回転支持穴４６と対称形状であってフック４のボルト受け筒３４の周囲に隣接されるスプリング２７及びボルト頭４３が収納可能なスプリング室４９とで形成された枢軸３０上に夫々連通する貫通穴５０を有し、加えてリングギヤ部４７は枢軸３０方向に面を持ち、貫通穴５０から枢軸３０の半径方向内側に突出した複数の歯から形成されている。又、回転支持穴４６内には、フック４の回転抑止板３９が当接し、回転支持穴４６と同心筒形状の回転抑止板受け５２が埋設されるが、この回転抑止板受け５２は、周方向で回転抑止板３９より数倍大きく、回転抑止板受け５２、回転抑止板３９ともフック４を組み付けた際、枢軸３０方向でボルト頭４３の内面からスプリング受４８端面までの距離より長く形成されている。加えて保持部２０の端面５３には、フック４の段差３８が当接され合わせて離脱防止部を形成している。なお、弾性体にはスプリング２７以外として弾性ゴムを用いても良い。
【００２７】
以上の如く構成されたインパクトドライバー２１において、フック４を組み付ける際は、ナット４５をフック４のナット収納部３５に挿入し、そのナット４５を図示しない係止突起で係止収納したフック４の基端部２８を、既にネジ止めされたハウジング１ａ、１ｂの保持部２０の貫通穴５０に、引っ掛け片２がバッテリー１８底面と平行になるように装着し、更にスプリング２７を太径方向からスプリング室４９に挿入した状態で、ボルト４４をボルト穴３６に挿通し、ナット４５にボルト頭４３がボルト受け筒３４の端面に当接するまでマイナスドライバー若しくはコインをコイン溝４２に嵌合させて締めれば、フック４がスプリング２７を介在させてハウジング１と組み付けられる。また、ナット４５は緩み止め機能付ナットであるから、ネジ４４が緩んでフック４がハウジング１から離脱する危険性がない。また、この際、保持部２０はハウジング１ａ、１ｂの分割面を中心に対称形状であるから、図６に示すように作業者の利き腕に合わせてフック4を保持部２０の反対方向からも装着可能であり、装着方向が変わっても保持部２０内の部位の役割はリングギヤ部４７を除いて夫々が変わるだけなので、保持部２０は、フック４の装着位置を２ヶ所持ち合わせていても略一つで良く、言い換えれば二箇所設ける必要がなく、インパクトドライバー２１がコンパクトになる。更にこの際、図１、２に示すようにフック４内のナット収納部３５に汎用部品であるナット４５を挿入する構成であるため、ナット等を金型に嵌め込み樹脂成形するインサート成形や、基端部２８全体を金属で成形し機械加工するといった方法に比べコストがかからなく、ボルト４４とナット４５で締め付け固定しているため樹脂成形されたハウジング1にネジ止めするといった方法に比べて耐久性が高い。
【００２８】
図４は、フック４の引っ掛け片２がバッテリー１８の側面にほぼ隣接する位置で収納されている収納状態を表している。フック４は、スプリング２７の圧力が保持部２０内のスプリング受４８端面を支点に、ボルト頭４３を押し出す方向に掛けられると共に、フック４の段差３８が保持部２０の端面５３に当接して支持されるためフック４の離脱が防止され、更にギヤ部３１がリングギヤ部４７と嵌合状態に保持されるため、基端部２８の枢軸３０の周方向の回転が防止され、併せて収納時の安定が図られる。
【００２９】
そして、ここからフック４を使用する場合、枢軸３０上の滑り止め部５４，５４を指でつまみ枢軸３０方向側方（図の上方）に引き抜けば、図５に示すようにフック４を保持部２０から側方に移動できると共に、ギヤ部３１とリングギヤ部４７の嵌合が解除されるため、フック４を回動させることができる。但しこの状態では、ボルト頭４３が圧縮されたスプリング２７を介してスプリング受け４８の端面に係止するため、フック４の側方への離脱が防止される。また、このフック４の引き抜き時には、スプリング２７がすり鉢形状のため線径の厚さまで圧縮可能で、フック４の大きな引き抜き量をかせぐことができ、言い換えれば保持部２０を枢軸３０方向幅にコンパクトにできる。そして、図５の引抜き状態を指で保持した状態からそのまま、図３（Ａ）に示すように引っ掛け片２先端が上方に向くようにフック４を回転させ、引っ掛け片２がインパクトドライバー２１の重心５５付近を指す位置２ｅで指を離せば、図４に示すようにスプリング２７の圧力が保持部２０内のスプリング受け４８端面を支点に、ボルト頭４３を押し出す方向に掛けられると共に、ギヤ部３１とリングギヤ部４７が嵌合し、段差３８が端面５３に当接して支持され、引っ掛け片２が図１（Ａ）の位置２ｅで安定して固定される。フック４を回動させる時、図５に示すように回転筒３２が回転支持穴４６に当接して摺動するためにフック４は常に略枢軸３０上を回動でき、更に複数の歯がギヤ部３１及びリングギヤ部４７に設けられており、加えてギヤ部３１のＣ面４０〜４０が覗きの役割を果たすため、引き抜き状態から指を外しただけでギヤ部３１とリングギヤ部４７が嵌合し易くなっている。しかも、Ｃ面４０〜４０はギヤ部３１先端部の欠損を防ぐ効果もあり、インパクトドライバー２１においては金型分割構造上設けなかったが、リングギヤ部４７先端部にＣ面を設けても良い。万一、指を外しただけでギヤ部３１とリングギヤ部４７が嵌合しなかった場合もフック４を軽くたたく程度で嵌合可能である。
【００３０】
次にフック４を使用しない場合は、上記手順とは逆に枢軸３０上の滑り止め５４，５４を指でつまみ枢軸３０方向側方に引き抜けば、フック４を保持部２０から側方に移動できると共に、ギヤ部３１とリングギヤ部４７の嵌合が解除されるため、フック４を回動させることができる。そして、その引抜き状態を指で保持した状態からそのまま、引っ掛け片２先端が前方に向くようにフック４を回動させ、図７に示すように回転抑止板３９の端面が回転抑止板受け５２の端面に当接する場所で指を離せば、フック４の引っ掛け片２はバッテリー１８側面にほぼ隣接する位置で収納される。
【００３１】
ここで、ギヤ部３１とリングギヤ部４７の形状について詳述する。図８（Ａ）に示すように、フック４の先端に枢軸３０の周方向に作業者の力Ｐ１が掛かると勘合部の１点にモーメントＭ１が働くが、ギヤ部３１とリングギヤ部４７の歯が枢軸３０の略半径方向の面で形成されているため、ギヤ部３１の歯に働くモーメントＭ１をリングギヤ部４７の歯で略垂直に受けることができ、フック４の回動抑制に無駄がなく、加えて図８（Ｂ）に示すようにギヤ部３１とリングギヤ部４７に複数の歯が設けられていることによってモーメントＭ１をモーメントＭ２に分散できるため、保持部２０と基端部２８をコンパクトにでき且つ強固に嵌合可能である。また、図１に示すようにギヤ部３１とリングギヤ部４７の歯が枢軸３０方向の面で形成されているため、フック４は回動方向に力を加えても枢軸３０方向側方（図の手前側）にスライドしてしまうことがない。加えてギヤ部３１とリングギヤ部４７の歯が夫々基端部２８と貫通穴５０から枢軸３０の半径方向に突出しているため、歯が基端部２８と貫通穴５０の端面から枢軸３０の軸方向に突出している構成に比べて、歯と基端部２８及び貫通穴５０の接合面積が広くでき接合強度が強く、また歯が上記枢軸３０方向に突出している構成で前記枢軸３０半径方向に突出している歯の接合強度と同等の強度を稼ごうとした場合、ギヤ部３１とリングギヤ部４７が枢軸３０の半径方向に大型化してしまい不適切な構成になる。
【００３２】
次に、図９にインパクトドライバー２１を腰ベルト７６に引っ掛けた状態を示す。図９は作業者の動きに伴い、フック４に引き抜き方向の力Ｐ２が掛かった時の図を示すものであるが、基端部２８と貫通穴５０は嵌合しているため腰ベルト７６が引っ掛かる支持点２６に力Ｐ２がかかると基端部２８は回動し、基端部２８の端点５６，５６にその中心５７の周方向にモーメントＭ３、Ｍ３が働く。そして、モーメントＭ３、Ｍ３は貫通穴５０内壁へ垂直に働く力Ｆ１、Ｆ１と、枢軸３０に平行で夫々反対方向に働く力Ｆ２、Ｆ３とに分解できるが、力Ｆ２、Ｆ３は相殺されるため、基端部２８は貫通穴５０内壁へ垂直に働く力Ｆ１、Ｆ１によって貫通穴５０に圧着される。言い換えれば、基端部２８は貫通穴５０内でこじれ、引き抜けないから、フック４は枢軸３０上を指でまっすぐ引き抜く以外引き抜きようがなく、引っ掛かり時の安定性が良い。更に付け加えるとインパクトドライバー２１は、ベルト７６に引っ掛けられている状態で常に重力が働いているから、引っ掛け片に力Ｐ３が働き基端部２８が貫通穴５０内でこじれている状態が持続する。
【００３３】
更に、インパクトドライバー２１を腰ベルト７６に引っ掛けた際は、図１０（Ａ）に示すように、インパクトドライバー２１の重心５５がフック４の支持点２６の垂下に位置し、引っ掛け片２は腰ベルト７６と垂直関係にあり安定している。しかも、図１１（Ｂ）に示すように木工錐５８とドリルチャック５９が取付けられたり、図１０（Ｃ）に示すように電圧の低い軽量電池６０が取付けられるとインパクトドライバー２１の重心５５が夫々重心６１，６２に変化するが、引っ掛け片２は周方向の複数位置で保持されるため、引っ掛け片２の位置２ｅを夫々位置２ｄ、２ｆに簡単に回動させれば、引っ掛け片２と腰ベルト７６の関係は常に垂直で深く引っ掛かっている関係にあるため、引っ掛かり時の安定性は部品を追加変更した場合も良い。加えて上述したようにフック４は回動方向に力を加えても強固に回動不能で、更にフック４が作業者の動きに伴い引き抜かれることはないから、併せて引っ掛かり時の安定性が保たれる。
【００３４】
次に、インパクトドライバー２１を落下させた場合のフック４の強度に関して述べる。引っ掛け片２が図３に示した位置２ａにあればバッテリー１８が衝撃を吸収し、位置２ｃ、２ｄ、２ｅ、２ｆにあれば引っ掛け片２がハンドル９まで湾曲当接しハンドル９が衝撃を吸収する。しかし、引っ掛け片２が位置２ａ、２ｃ、２ｄ、２ｅ、２ｆ以外にある場合、例えば、位置２ｇで落下衝撃を受けた場合、引っ掛け片２自身で衝撃を吸収しなければならず、おのずと引っ掛け片２が大型化してしまうという問題があった。従って、図７に示すように基端部２８に回転抑止板３９を、保持部２０に回転抑止板受け５２をそれぞれ設け、引っ掛け片２の回転移動範囲を前記した位置２ａ、２ｃ、２ｄ、２ｅ、２ｆの範囲に制御し、フック４をコンパクトにすることができる。
【００３５】
以上説明したフックの構成は、複数の位置選択をスライドして回すだけの簡単な方法であり、且つベルト等に引っ掛けた時の安定性が良く、又コンパクトな構造で携帯用工具に隣接する方法で収納可能であるため、例示したインパクトドライバーに限らず、ハウジング内に空きスペースが無い場合や、フックの取付け場所が限定される場合が多い、丸のこ、ドリル、ディスクグラインダ、ドライバー、ハンマ、ジグソー、カッタ、セーバソー、エアツール、釘打ち機等の殆どの携帯用工具に幅広く適用でき汎用性が高い。例えば、図１１に示すように、屋根の梁６３に引っ掛けるためのフックを丸のこ６４に装着する場合であっても、保持部２０をモーターハウジング１９側面に突設させ引っ掛け片２をコの字形にしモーターハウジング１９端面にフック４のスライド量分隙間をあけた状態で隣接する構成にすれば、電気丸のこにも装着可能であり、又、モーター上部に空きスペースが有る図１２に示すドリル６５若しくはスクリュードライバーに装着する場合であれば、引っ掛け片２を枢軸と平行に突出したＬ字形にし、フック４及び保持部２０全体を収納する構成にでき、装着可能である。図１２（Ｃ）は図１２（Ｂ）のＤ−Ｄ断面であるが、このように金型構造上、リングギヤ部４７の一部を省いてしまっても構わない。また、上述したように、丸のことドリルどちらにおいても梁やベルト等への引っ掛け時に引っ掛け片２に重力Ｐ４が働くが、フック４が保持部２０の端面５３に抜け止めされ安定しており、更に梁やベルト等から引っ掛け片２を引き抜く時に摩擦によって引っ掛け片２に力Ｐ５が働くが、保持部２０内でフック４の基端部２８がこじれるためフック４がスライドしてしまい抜き辛くなることがなく操作性が良い。
【００３６】
また、図４に示す形態のように、フック４に基端部２８を設けハウジング１に保持部２０を設けたが、図１３に示すようにフック４に保持部２０を設けハウジング１に基端部２８を設ける構成であっても同等の効果が得られる。更に、図１４に示すように、図１３の基端部２８を含むハウジング１と抜け止め部２９を入れ替えた構成でも良く、しかも図１３のフック４回動時に回転筒３２の回転を支持する回転支持穴４６を省き図１４に示すようにリングギヤ部４７によって回転筒３２を支持しても良い。このように部分が入れ代わったり、部分を細分化して動作精度を上げたり、１部分で２つの効果を兼用したりする構成でも構わない。
【００３７】
次にビット収納構成及びその方法について説明する。図１はフックを備えるインパクトドライバーの部分説明図であり、フック４の引っ掛け片２には、溝状の収容保持部であるビット収納部６６が凹設され、そのビット収納部６６に六面体であるビット１１が略完全に収納される。６７はビット１１が嵌合可能な嵌着部、６８はビット１１の前後に埋設された首部、６９は弾性の平板７０から突接され首部を弾性係止可能なストッパ、７１はビット収納部１の一部側壁が切り欠かれた切り欠き、７２，７３はビット１１の頭部、７４は平板７０裏面の凹部である。
【００３８】
一方、ビット１１を装着する際は、図１５に示すようにビット１１をビット収納部６６後方（図の右側）からビット軸７５方向に頭部７３を指で押して摺動させれば、嵌着部６７に嵌合すると共に、ビット１１の首部６８にストッパ６９が弾性係止し、ビット１１がフック４と組み付けられる。更に図４はビット１１がフック４に収納された状態を表す図であり、図４（Ｂ）は図４（Ａ）のＥ−Ｅ断面図であるが、六面体であるビット１１の三面が嵌着部６７に嵌合状態に保持され、ビット１１はビット軸７５の周方向と半径方向の揺動が防止される。加えて首部６８にストッパ６９が弾性係止されビット軸７５の軸方向の揺動が防止されるため、併せて安定性が良い。また、ビット１１が、引っ掛け片２の縁部と面位置に収納されるため、即ちビット１１の外周がビット収納部６６か突出しないよう完全に埋設するため、ビット１１を衣服等に引っ掛けてしまい離脱させる危険性がなく、安全性に優れている。次に図１５に示すようにビット１１を引き出す時は、ビット収納部６６の切り欠き７１から指を差し込み頭部７２を後方（図の右側）に摺動させれば、ストッパ６９若しくは平板７０が頭部７２によって押圧され平板７０が湾曲しストッパ６９による係止が解かれると共に、頭部７３をビット収納部６６から後方へ突出させることができ、その頭部７３を指で挟んで引き出せば、ビット１１がフック４から引き出される。この時、凹部７４によって平板７０の弾性圧力を低くしており、しかも引っ掛け片２がバッテリー１８側面に当接状態であっても、湾曲した平板７０とバッテリー１８側面とがぶつからない。
【００３９】
よって上述したように、フックとビット収納部を備える携帯用工具において、フックの引っ掛け片をビット収納部に置き換えればスペース効率が良い。更にビットをビット軸方向に摺動させて着脱する方法で、且つビット軸周方向及び半径方向の揺動を防止する係止手段とビット軸方向の揺動を防止する弾性係止手段とに分けることによって、フックの樹脂一体成形が可能であり、コストと組付け手間がかからない。
【００４０】
更に、図１６に示すように引っ掛け片４の縁部の１部に、滑り止め用または部材保護用のゴム等の軟性体３〜３を圧入、または接着、或いは２層成形すれば、ビット収納部を備えるフックに軟質材を設けることが可能になる。なお、軟質塗料を塗布する方法でも構わない。
【００４１】
以上のことからビット収納の構成は、スペース効率が良く、コストと組付け手間が掛からない樹脂一体成形の係止手段を用いているため、例示したインパクトドライバーに限らず、ビットを使用する丸のこ、スクリュードライバー、ドライバードリル、エアツールのドライバー等の携帯用工具に幅広く適用することができる。
【図面の簡単な説明】
【００４２】
【図１】本発明になる電動工具のフック部を示す要部拡大分解斜視図である。
【図２】本発明になる電動工具のフック部を示す要部拡大分解斜視図である。
【図３】本発明になるフック部の可動状態を示しており、（Ａ）は正面図、（Ｂ）は側面図（Ｃ）は底面図である。
【図４】本発明になる図３（Ａ）のＡ−Ａ線断面図である。
【図５】本発明になるフック部をスプリング２７を圧縮する方向に移動させた状態を示す図３（Ａ）のＡ−Ａ線断面図である。
【図６】本発明になるフック部を反対側に装着した状態を示す外観斜視図である。
【図７】本発明になるフック部の収納状態或いは突出状態を示す図４のＢ−Ｂ線断面図である。
【図８】本発明になるフック部の回動部を示しており、（ａ）は図４のｃ−ｃ線断面図、（ｂ）はギヤ及びリングギヤを示す部分拡大図である。
【図９】本発明になるフック部を用いて電動工具を作業者の腰ベルトに引っ掛けた状態を示す要部拡大図である。
【図１０】本発明になるフック部を用いて電動工具を作業者の腰ベルトに引っ掛けた状態を示しており、（ａ）は電動工具を作業者の腰ベルトに引っ掛けた状態を示す説明図、（ｂ）は（ａ）に示す電動工具からビットを取り外してチャックと木工錐を装着した状態を示す説明図、（ｃ）は（ａ）に示す電動工具に軽量のバッテリーを装着した状態を示す説明図である。
【図１１】本発明になるフック部を設けた電気丸のこを示しており、（ａ）は一部縦断側面図、（ｂ）は電気丸のこを梁に引っ掛けた状態を示す状態図である。
【図１２】本発明になるフック部を設けた電気ドリルを示しており、（ａ）は一部縦断正面図、（ｂ）は一部省略平面図、（ｃ）は（ｂ）のｄ−ｄ線断面図、図１３は本実施例におけるフック部の他の例を示す要部拡大断面図である。
【図１３】本発明になるフック部の他の例を示す要部拡大断面図である。
【図１４】本発明になるフック部の更に他の例を示す要部拡大断面図である。
【図１５】本発明になるフック部に設けたビット収納部を示す図３（ａ）のＡ−Ａ線断面図である。
【図１６】本発明になるビットを収納するフック部を示す一部外観斜視図である。
【図１７】従来のフックを有する電動工具を示す外観斜視図である。
【符号の説明】
【００４３】
１ａはハウジング、１ｂはハウジング、２は引っ掛け片、４はフック、１１はビット、１８はバッテリー、２０は保持部、２１はコードレスインパクトドライバー、２７はスプリング、２９は抜け止め部、３０は枢軸、３１はギヤ部、３２は回転筒、３５はナット収納部、３６はボルト穴、３８は段差、３９は回転抑止片、４４はボルト、４５はナット、４６は回転支持穴、４７はリングギヤ部、４８はスプリング受け、４９はスプリング室、５０は貫通穴、５２は回転抑止片受け、５３は端面、５４は滑り止め、６６はビット収納部、６７はかん着部、６８は首部、６９はストッパ、７０は平板、７１は切り欠き、７２，７３は頭部、７５はビット軸である。
【図１】
2005297192.tif 000003
【図２】
2005297192.tif 000004
【図３】
2005297192.tif 000005
【図４】
2005297192.tif 000006
【図５】
2005297192.tif 000007
【図６】
2005297192.tif 000008
【図７】
2005297192.tif 000009
【図８】
2005297192.tif 000010
【図９】
2005297192.tif 000011
【図１０】
2005297192.tif 000012
【図１１】
2005297192.tif 000013
【図１２】
2005297192.tif 000014
【図１３】
2005297192.tif 000015
【図１４】
2005297192.tif 000016
【図１５】
2005297192.tif 000017
【図１６】
2005297192.tif 000018
【図１７】
2005297192.tif 000019